【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
音響信号の雑音を低減する方法であって：
音響信号を受信する段階と；
前記音響信号を、複数のサブバンド信号へと分離する段階と；
前記複数のサブバンド信号のうちの一のサブバンド信号において雑音消去を実行する段階と；
前記サブバンド信号の雑音成分のエネルギーレベルを低減させるために、低減値を、前記雑音消去が実行された前記サブバンド信号に適用する段階であって、前記低減値は、前記サブバンド信号の推定された信号対雑音比と、前記サブバンド信号における音声損失歪みの推定された閾値レベルとに基づく、段階と；
を有する、方法。
【請求項２】
前記低減値を適用する前記段階は、前記低減値に基づいて、前記サブバンド信号の雑音抑制を実行する段階を含む、
請求項１に記載の方法。
【請求項３】
前記雑音成分のエネルギーレベルをさらに低減させるために、他の低減値を、前記サブバンド信号に乗算する段階
をさらに有する、請求項２に記載の方法。
【請求項４】
前記低減値を適用する前記段階は、前記低減値を、前記サブバンド信号に乗算する段階を含む、
請求項１に記載の方法。
【請求項５】
前記サブバンド信号における前記雑音成分のエネルギーレベルは、少なくとも残留雑音目標レベルまで減少させられる、
請求項１に記載の方法。
【請求項６】
前記推定された信号対雑音比と、前記音声損失歪みの推定された閾値レベルとに基づいて、前記低減値の第一の値を決定する段階と；
前記サブバンド信号における、前記雑音成分のエネルギーレベルの、前記残留雑音目標レベルへの低減に基づいて、前記低減値の第二の値を決定する段階と；
前記低減値として、前記第一の値と前記第二の値のうち一を選択する段階と；
をさらに有する、請求項５に記載の方法。
【請求項７】
前記低減値を低減した後に、分離された前記音響信号をエンコードする段階
をさらに有する、請求項６に記載の方法。
【請求項８】
前記残留雑音目標レベルは、可聴なレベルより低いレベルである、
請求項５に記載の方法。
【請求項９】
前記低減値の第二の値は、第二のサブバンド信号の前記雑音成分のエネルギーレベルが、前記残留雑音目標レベルより低い場合に、１となる、
請求項６に記載の方法。
【請求項１０】
前記低減値は、さらに、前記サブバンド信号における、前記雑音成分及び音声成分の、推定されたパワースペクトル密度に基づく、
請求項１に記載の方法。
【請求項１１】
プログラムを格納するコンピュータ読取可能な記憶媒体であって、前記プログラムは、プロセッサに、音響信号の雑音を低減する方法を実行させ、該方法は：
音響信号を受信する段階と；
前記音響信号を、複数のサブバンド信号へと分離する段階と；
前記複数のサブバンド信号のうちの一のサブバンド信号において雑音消去を実行する段階と；
前記サブバンド信号の雑音成分のエネルギーレベルを低減させるために、低減値を、前記雑音消去が実行された前記サブバンド信号に適用する段階であって、前記低減値は、前記サブバンド信号の推定された信号対雑音比と、前記サブバンド信号における音声損失歪みの推定された閾値レベルとに基づく、段階と；
を有する、記憶媒体。
【請求項１２】
前記低減値を適用する前記段階は、前記低減値に基づいて、前記サブバンド信号の雑音抑制を実行する段階を含む、
請求項１１に記載の記憶媒体。
【請求項１３】
前記低減値を適用する前記段階は、前記低減値を、前記サブバンド信号に乗算する段階を含む、
請求項１１に記載の記憶媒体。
【請求項１４】
前記サブバンド信号における前記雑音成分のエネルギーレベルは、少なくとも残留雑音目標レベルまで減少させられる、
請求項１１に記載の記憶媒体。
【請求項１５】
前記方法は：
前記推定された信号対雑音比と、前記音声損失歪みの推定された閾値レベルとに基づいて、前記低減値の第一の値を決定する段階と；
前記サブバンド信号における、前記雑音成分のエネルギーレベルの、前記残留雑音目標レベルへの低減に基づいて、前記低減値の第二の値を決定する段階と；
前記低減値として、前記第一の値と前記第二の値のうち一を選択する段階と；
をさらに有する、請求項１４に記載の記憶媒体。
【請求項１６】
前記残留雑音目標レベルは、可聴なレベルより低いレベルである、
請求項１４に記載の記憶媒体。
【請求項１７】
前記低減値の第二の値は、第二のサブバンド信号の前記雑音成分のエネルギーレベルが、前記残留雑音目標レベルより低い場合に、１となる、
請求項１５に記載の記憶媒体。
【請求項１８】
前記方法は、
他の低減値を、前記サブバンド信号に乗算する段階であって、さらに前記雑音成分のエネルギーレベルを低減する、段階
をさらに有する、請求項１１に記載の記憶媒体。
【請求項１９】
音響信号の雑音を低減するシステムであって：
プロセッサにより実行される、メモリに保管された周波数分析モジュール、雑音消去モジュール及び雑音低減モジュールを有し、
前記周波数分析モジュールは、
音響信号を受信し、
前記音響信号を、複数のサブバンド信号へと分離し；
前記雑音消去モジュールは、
前記複数のサブバンド信号のうちの一のサブバンド信号において雑音消去を実行し、
前記雑音低減モジュールは、
前記サブバンド信号の雑音成分のエネルギーレベルを低減させるために、低減値を、前記雑音消去が実行された前記サブバンド信号に適用し、前記低減値は、前記サブバンド信号の推定された信号対雑音比と、前記サブバンド信号における音声損失歪みの推定された閾値レベルとに基づく、
システム。
【請求項２０】
前記雑音低減モジュールは、前記低減値に基づいて、前記サブバンド信号の雑音消去を実行する、
請求項１９に記載のシステム。
【請求項２１】
前記雑音低減モジュールは、前記低減値を、前記サブバンド信号に乗算する、
請求項１９に記載のシステム。
【請求項２２】
前記サブバンド信号における前記雑音成分のエネルギーレベルは、少なくとも残留雑音目標レベルまで減少させられる、
請求項１９に記載のシステム。
【請求項２３】
前記低減値は、さらに、前記雑音低減モジュールのアプリケーション・プログラム・インターフェースを介して受信された入力に基づく、
請求項１９に記載のシステム。
【手続補正２】
【補正対象書類名】明細書
【補正対象項目名】０００８
【補正方法】変更
【補正の内容】
【０００８】
本明細書で説明される、音響信号の雑音を低減する方法は、音響信号の雑音を低減する方法であって：音響信号を受信する段階と；前記音響信号を、複数のサブバンド信号へと分離する段階と；前記複数のサブバンド信号のうちの一のサブバンド信号において雑音消去を実行する段階と；前記サブバンド信号の雑音成分のエネルギーレベルを低減させるために、低減値を、前記雑音消去が実行された前記サブバンド信号に適用する段階であって、前記低減値は、前記サブバンド信号の推定された信号対雑音比と、前記サブバンド信号における音声損失歪みの推定された閾値レベルとに基づく、段階と；を有する。
【手続補正３】
【補正対象書類名】明細書
【補正対象項目名】０００９
【補正方法】変更
【補正の内容】
【０００９】
本明細書で説明される、音響信号内の雑音を低減するシステムは、音響信号の雑音を低減するシステムであって：プロセッサにより実行される、メモリに保管された周波数分析モジュール、雑音消去モジュール及び雑音低減モジュールを有し、前記周波数分析モジュールは、音響信号を受信し、前記音響信号を、複数のサブバンド信号へと分離し；前記雑音消去モジュールは、前記複数のサブバンド信号のうちの一のサブバンド信号において雑音消去を実行し、前記雑音低減モジュールは、前記サブバンド信号の雑音成分のエネルギーレベルを低減させるために、低減値を、前記雑音消去が実行された前記サブバンド信号に適用し、前記低減値は、前記サブバンド信号の推定された信号対雑音比と、前記サブバンド信号における音声損失歪みの推定された閾値レベルとに基づく。